(57)【特許請求の範囲】
【請求項１】
表面側に位置する表面シート、裏面側に位置する裏面シート、および、これら表面シートと裏面シートとの間に位置する吸収体を有する吸収本体と、
装着者の腹側に配置される腹側部、装着者の股下に配置される中央部、および、装着者の背側に配置される背側部とを有し、前記吸収本体の裏面側に配設された外層シートとを具備し、
前記吸収体は、装着者の腹側に配置される腹側吸収部と、装着者の股下に配置される中央吸収部と、装着者の背側に配置される背側吸収部とを有し、
少なくとも前記背側吸収部の幅方向の長さは、大人の坐骨間隔より狭く形成され、
前記吸収本体は、前記吸収体の背側吸収部の幅方向の両側部より外側に前記表面シートおよび前記裏面シートにてフラップ部が形成され、
このフラップ部は、前記吸収本体の外側縁部に位置し前記表面シートと前記裏面シートとが接合されたフラップ外側接合部、このフラップ外側接合部より内側に位置し前記表面シートと前記裏面シートとが接合されたフラップ内側接合部、および、これらフラップ外側接合部とフラップ内側接合部との間に位置し前記表面シートと前記裏面シートとが少なくとも接着剤にて接合されていないフラップ中央部を有する
ことを特徴とした大人用使い捨て吸収性物品。
【請求項２】
吸収体は、中央吸収部の断面方向の高さが腹側吸収部および背側吸収部の断面方向の高さより高く形成されている
ことを特徴とした請求項１記載の大人用使い捨て吸収性物品。
【請求項３】
表面シートの表面側には、吸収本体の幅方向の両側部および長手方向の両端部の少なくともいずれか一方に疎水性シートが配設され、
この疎水性シートは、前記吸収本体の幅方向の両側縁部および長手方向の両端縁部の少なくともいずれか一方にて接合されている
ことを特徴とした請求項１または２記載の大人用使い捨て吸収性物品。
【発明の詳細な説明】
【技術分野】
【０００１】
本発明は、大人用の使い捨て吸収性物品に関する。
【背景技術】
【０００２】
従来、尿などの排泄液を吸収するためのアウタ型の使い捨て吸収性物品としては、装着する前に、装着状態で腰脇に対応する箇所である腹側部の両側部と背側部の両側部とが接合されて予めパンツ形状にされる、いわゆるパンツタイプのものや、装着する際に腹側部の両側部と背側部の両側部とをテープなどにて固定する、いわゆるテープ止めタイプのものがある。
【０００３】
前記テープ止めタイプの使い捨て吸収性物品は、自ら着脱できない人や、全介助を必要とする人に利用されることが想定され、装着者が寝た状態にて使用されることが比較的多いものである。
【０００４】
一方、前記パンツタイプの使い捨て吸収性物品は、自ら着脱ができる人や一部介助を必要とする人の利用、および、リハビリにおける利用が想定され、歩行、立位および座位などの姿勢をとることができる装着者に利用される場合が多いものである。
【０００５】
そして、パンツタイプの使い捨て吸収性物品としては、装着者の肌への密着性を高め、装着した際の違和感を防止するために、腰周りの弾性体と、脚周りの弾性体と、吸収体とにて囲まれ装着者の臀部に対応する箇所に臀部用弾性体を胴回り部から脚周り部へ傾斜状に配設した構成のものが知られている（例えば、特許文献１参照。）。
【０００６】
また、股間部の違和感を防止するために、成人男性用のパンツタイプ紙おむつとして、装着者の腹部に対応する箇所から股間に対応する箇所にかけてのみ吸収体が配設された構成のものが知られている（例えば、特許文献２参照。）。
【先行技術文献】
【特許文献】
【０００７】
【特許文献１】特開２００４−２０１７９４号公報（第３−７頁、図１）
【特許文献２】特開２００８−２４５８４２号公報（第７，８頁、図１）
【発明の概要】
【発明が解決しようとする課題】
【０００８】
しかしながら、上述の特許文献１の構成では、使い捨て吸収性物品が全体的に装着者に密着して装着感が向上するものの、座位において、吸収体が配設された箇所、または、吸収体と吸収体が配設されていない箇所の段差部位に装着者の坐骨が位置するため、前記坐骨が圧迫され装着感が悪化する可能性が考えられる。
【０００９】
また、上述の特許文献２の構成では、背側に吸収体が配設されていないので、背側にて排泄液を吸収できず、背側への排泄液の移動などにより排泄液が漏出してしまう場合が考えられる。さらに、男性の排泄位置を基準に吸収体が配設されているため、女性用としては使用しにくい問題が考えられる。
【００１０】
本発明はこのような点に鑑みなされたもので、装着者が座位の状態で装着感が良好であり、男性用としても女性用としても使用できるとともに、排泄液が漏出しにくい使い捨て吸収性物品を提供することを目的とする。
【課題を解決するための手段】
【００１１】
請求項１に記載された大人用使い捨て吸収性物品は、表面側に位置する表面シート、裏面側に位置する裏面シート、および、これら表面シートと裏面シートとの間に位置する吸収体を有する吸収本体と、装着者の腹側に配置される腹側部、装着者の股下に配置される中央部、および、装着者の背側に配置される背側部とを有し、前記吸収本体の裏面側に配設された外層シートとを具備し、前記吸収体は、装着者の腹側に配置される腹側吸収部と、装着者の股下に配置される中央吸収部と、装着者の背側に配置される背側吸収部とを有し、少なくとも前記背側吸収部の幅方向の長さは、大人の坐骨間隔より狭く形成され、前記吸収本体は、前記吸収体の背側吸収部の幅方向の両側部より外側に前記表面シートおよび前記裏面シートにてフラップ部が形成され、このフラップ部は、前記吸収本体の外側縁部に位置し前記表面シートと前記裏面シートとが接合されたフラップ外側接合部、このフラップ外側接合部より内側に位置し前記表面シートと前記裏面シートとが接合されたフラップ内側接合部、および、これらフラップ外側接合部とフラップ内側接合部との間に位置し前記表面シートと前記裏面シートとが少なくとも接着剤にて接合されていないフラップ中央部を有するものである。
【００１２】
請求項２に記載された大人用使い捨て吸収性物品は、請求項１に記載された大人用使い捨て吸収性物品において、吸収体は、中央吸収部の断面方向の高さが腹側吸収部および背側吸収部の断面方向の高さより高く形成されているものである。
【００１３】
請求項３に記載された大人用使い捨て吸収性物品は、請求項１または２に記載された大人用使い捨て吸収性物品において、表面シートの表面側には、吸収本体の幅方向の両側部および長手方向の両端部の少なくともいずれか一方に疎水性シートが配設され、この疎水性シートは、前記吸収本体の幅方向の両側縁部および長手方向の両端縁部の少なくともいずれか一方にて接合されているものである。
【発明の効果】
【００１４】
請求項１に記載された発明によれば、少なくとも背側吸収部の幅方向の長さが、大人の坐骨間隔より狭く形成されていることにより、大人である装着者が座位の状態にて坐骨が吸収体に圧迫されないので、装着感が良好である。また、前記吸収体は、腹側吸収部と、中央吸収部と、背側吸収部とを有するので、男性用としても女性用としても使用できるとともに、排泄液を漏出しにくくできる。
【００１５】
さらに、フラップ外側接合部とフラップ内側接合部との間に表面シートと裏面シートとが少なくとも接着剤にて接合されていないフラップ中央部を有することにより、フラップ部は、前記フラップ外側接合部と前記フラップ内側接合部とにて接合されているので排泄液の漏出や吸収体のずれを防止できるとともに、装着者が座位の状態にて、前記フラップ中央部に装着者の体重による圧力が加えられても、前記接着剤がしみ出してしまうことがないので、この接着剤により表面シートが装着者の臀部に貼り付くことがなく、装着感の悪化を防止できる。
【００１６】
請求項２に記載された発明によれば、中央吸収部の断面方向の高さが腹側吸収部および背側吸収部の断面方向の高さより高く形成されていることにより、装着者が座位の状態にて、前記中央吸収部が装着者の股間部に密着するので排泄液を確実に吸収して漏出を防止できるとともに、前記背側吸収部が前記中央吸収部より低いので背側吸収部によって装着感が悪化しにくい。
【００１７】
請求項３に記載された発明によれば、疎水性シートが設けられたことにより、この疎水性シートによって吸収本体からの排泄液の漏出を防止できるので、排泄液の漏出による装着感の悪化を防止できる。
【図面の簡単な説明】
【００１８】
【図１】本発明の第１の関連技術に係る使い捨て吸収性物品の構成を示す平面図である。
【図２】（ａ）は同上使い捨て吸収性物品のパンツ形状にした状態の腹側を示す斜視図であり、（ｂ）は同上使い捨て吸収性物品のパンツ形状にした状態の背側を示す斜視図である。
【図３】同上使い捨て吸収性物品における図１のＡ−Ａ断面を示す断面図である。
【図４】同上使い捨て吸収性物品における図１のＢ−Ｂ断面を示す断面図である。
【図５】同上使い捨て吸収性物品における図１のＣ−Ｃ断面を示す断面図である。
【図６】同上使い捨て吸収性物品における図１のＤ−Ｄ断面を示す断面図である。
【図７】本発明の第２の関連技術に係る使い捨て吸収性物品の構成を示す断面図である。
【図８】本発明の第１の実施の形態に係る使い捨て吸収性物品の構成を示す断面図である。
【図９】本発明の第２の実施の形態に係る使い捨て吸収性物品の構成を示す断面図である。
【発明を実施するための形態】
【００１９】
以下、本発明の第１の関連技術の構成について図１ないし図６を参照しながら詳細に説明する。
【００２０】
図１および図２において、１は例えば使い捨て紙おむつなどの大人用使い捨て吸収性物品としての使い捨て吸収性物品を示し、この使い捨て吸収性物品１は、図１に示す展開状態から図２（ａ）および図２（ｂ）に示すパンツ形状にすることにより、大人である装着者の腰周りにおける腹部側から背部側にて身体に沿って装着される。
【００２１】
この使い捨て吸収性物品１は、吸収本体２と、この吸収本体２の裏面側に配設された外層シート３とを備えている。
【００２２】
図３ないし図６に示すように、吸収本体２は、表面側に位置する表面シート４、裏面側に位置する裏面シート５、および、これら表面シート４と裏面シート５との間に位置する吸収体６にて形成されており、使い捨て吸収性物品１は、吸収本体２の裏面シート５の裏面側すなわち外側に外層シート３が配設されて、層状に形成されている。
【００２３】
表面シート４は、例えば尿などの排泄液を透過可能な略矩形状の液透過性シートであり、裏面シート５は、尿などの排泄液を透過させない略矩形状の液不透過性シートであって、これら表面シート４および裏面シート５は、織布、不織布、フィルムおよび合成繊維などのシート材にて適宜形成される。
【００２４】
また、表面シート４と裏面シート５とは、吸収体６を挟むように周縁部が例えば接着剤などにて接合されて吸収体６が封着されており、装着者の排泄液が表面シート４を透過して吸収体６に吸収され、排泄液の吸収体６から裏面側への漏出を裏面シート５にて防止する。
【００２５】
外層シート３は、吸収本体２側に位置する内側外層シート７と、装着者の衣服側に位置する外側外層シート８とから構成され、これら内側外層シート７および外側外層シート８は、通気性および撥水性を有する不織布にて形成されている。
【００２６】
また、外層シート３は、吸収本体２より大きく形成され、内側外層シート７の略中央部に吸収本体２の裏面シート５側が接合されている。
【００２７】
外層シート３は、装着状態にて、装着者の腹側に配置される腹側部11と、装着者の股下に配置される中央部12と、装着者の背側に配置される背側部13とが長手方向に沿って順次形成されている。
【００２８】
腹側部11および背側部13には、内側外層シート７と外側外層シート８との間に、伸縮可能な腰周り弾性体14が外層シート３の幅方向に沿って伸長した状態で配設されている。そして、装着状態では、腰周り弾性体14が収縮して、腹側部11および背側部13が装着者の腰周りに密着する。
【００２９】
中央部12には、幅方向の両側部が中央へ向かって略凹弧状に切り欠かれた脚周り部15が設けられ、中央部12は、腹側部11および背側部13より幅方向の長さが狭く形成されている。また、脚周り部15は、装着状態にて装着者の脚周りに対応し、この脚周り部15における内側外層シート７と外側外層シート８との間には、脚周り部15に沿って伸縮可能な脚周り弾性体16が伸張した状態で配設されている。そして、装着状態では、脚周り弾性体16が収縮して、脚周り部15が装着者の脚周りに密着する。
【００３０】
このような外層シート３において、腹側部11と背側部13とを対向させ、腹側部11の幅方向の両端部と背側部13の両端部とをそれぞれ接合して接合部17を形成することにより、図２に示すような、使い捨て吸収性物品１は、両側部が接合されて接合部17が形成され、外層シート３の長手方向の両端部、すなわち、腹側部11の端部と背側部13の端部とにて腰周り開口部18が形成され、脚周り部15にて脚周り開口部19が形成される。
【００３１】
吸収体６は、例えばパルプなどの吸収性繊維と高分子吸収材とから形成され、排泄液を十分に吸収できるものである。
【００３２】
また、吸収体６は、使い捨て吸収性物品１の装着状態にて、装着者の腹側に配置される腹側吸収部21と、装着者の股下に配置される中央吸収部22と、装着者の背側に配置される背側吸収部23とが、長手方向に沿って順次形成されている。
【００３３】
背側吸収部23の幅方向の長さは、腹側吸収部21の幅方向の長さより狭く、大人である装着者の坐骨間隔より狭く形成されている。また、中央吸収部22の幅方向の長さは、腹側吸収部21側から背側吸収部23側へ向かって順次狭く形成されており、吸収体６における幅方向の長さは、腹側吸収部21＞中央吸収部22＞背側吸収部23となっている。
【００３４】
ここで、一般的に座位状態での両坐骨間の間隔は、７５〜１００ｍｍ程度とされているので、背側吸収部23の幅方向の長さは、１００ｍｍ以下が好ましく、より好ましくは、７５ｍｍ以下である。また、吸収体６の製造性や排泄液吸収力を考慮すると、背側吸収部23の幅方向の長さは、１０ｍｍ以上が好ましく、吸収体６の剛性、吸収体６のよれ防止性および排泄液の漏出防止性などを考慮すると３０ｍｍ以上がより好ましい。すなわち、背側吸収部23の幅方向の長さは、１０ｍｍ以上１００ｍｍ以下が好ましく、より好ましくは、３０ｍｍ以上７５ｍｍ以下である。
【００３５】
吸収体６における吸収性繊維の密度は、背側吸収部23が最も高く、次いで中央吸収部22が高く、腹側吸収部21が最も低く、背側吸収部23＞中央吸収部22＞腹側吸収部21という関係になっている。
【００３６】
図３は、図１において一部を省略したＡ−Ａ断面を示すが、この図３に示すように、吸収本体２における腹側吸収部21に対応する部分では、裏面シート５が吸収体６に沿って表面シート４側へ折曲されている。また、この折曲された裏面シート５の先端が表面シート４の端部を内側にして吸収体６に沿って内側へ折り返され表面シート４上に接合されて、吸収体６の両側部に折返部24が形成されている。
【００３７】
図４は、図１において一部を省略したＢ−Ｂ断面を示すが、この図４に示す吸収本体２における中央吸収部22に対応する部分や背側吸収部23に対応する部分では、表面シート４および裏面シート５における吸収体６の幅方向の両側部より外側に位置する部分にてフラップ部25が形成されている。また、このフラップ部25の外側縁部は、表面シート４および裏面シート５の端部が表面シート４を内側にして幅方向の内側へ折り返した状態で接合されて、フラップ折返部26が形成されている。
【００３８】
図５は、図１において一部を省略したＣ−Ｃ断面を示すが、この図５に示すように、吸収体６は、中央吸収部22の断面方向の高さが、腹側吸収部21および背側吸収部23の断面方向の高さより高く形成され、背側吸収部23の断面方向の高さが、腹側吸収部21の断面方向の高さより高く形成されている。すなわち、吸収体６の断面方向の高さは、中央吸収部22＞背側吸収部23＞腹側吸収部21となっている。
【００３９】
図６は、図１において一部を省略したＤ−Ｄ断面を示すが、この図６に示すように、中央吸収部22は、装着者の肌との密着性を高めるために、断面が表面側へ向かって凸状になるように、幅方向の中央部へ向かって高く形成されている。
【００４０】
次に、上記第１の関連技術の作用を説明する。
【００４１】
使い捨て吸収性物品１を装着する際には、予め図２に示すパンツ形状にし、装着者は、腰周り開口部18から脚周り開口部19へ向かって脚を挿入し、吸収本体２が股下に密着するように装着する。
【００４２】
このような予めパンツ形状にして装着するパンツタイプの使い捨て吸収性物品１では、装着状態にて、装着者が、歩行、立位および座位などの様々な姿勢になることが想定される。
【００４３】
そして、使い捨て吸収性物品１は、装着状態にて装着者が座位状態になったとしても、吸収体６の背側吸収部23の幅方向の長さが、大人である装着者の坐骨間隔より狭く形成されていることにより、背側吸収部23とフラップ部25との段差上や背側吸収部23上に装着者の坐骨が配置されない。したがって、排泄液の吸収力を考慮するとどうしても他の部材より厚くなる吸収体６により、坐骨が圧迫されないので、装着感が良好である。
【００４４】
特に、背側吸収部23の幅方向の長さを、１００ｍｍ以下にすることにより、一般的な坐骨間隔の範囲内であり、装着者の坐骨が圧迫されにくく、７５ｍｍ以下にすることにより、装着者の坐骨がより圧迫されにくいので、装着感を向上できる。また、背側吸収部23の幅方向の長さを、１０ｍｍ以上にすることにより吸収体６が製造し易いとともに、十分な排泄液の吸収力を確保でき、３０ｍｍ以上にすることにより、吸収体６の剛性、よれ防止性および排泄液の漏出防止性が良好になる。
【００４５】
また、吸収体６は、腹側吸収部21と、中央吸収部22と、背側吸収部23とを有することにより、装着者の性別に関係なく、吸収体６が装着者の排泄部に確実に密着して排泄液を即座に吸収できるので、男性用としても女性用としても使用できる。
【００４６】
また、女性に比べて男性の排泄部の個人差や状態による差が大きく、排泄位置が人によって異なるが、吸収体６における幅方向の長さを腹側吸収部21＞中央吸収部22＞背側吸収部23とすることにより、男性において排泄液が排泄される箇所として想定される腹側吸収部21をできるだけ大きく形成し、最初に排泄液を吸収する箇所をできるだけ広く確保できるので、男性用として使用してもより確実に排泄液を吸収できる。
【００４７】
さらに、吸収体６は、腹側吸収部21と、中央吸収部22と、背側吸収部23とを有することにより、例えば、腹側吸収部21にて吸収した排泄液が吸収体６中を背側へ移動したとしても、背側吸収部23にて吸収した状態を保持できるので、排泄液を漏出しにくくできる。
【００４８】
吸収体６における中央吸収部22の断面方向の高さが、背側吸収部23および腹側吸収部21の断面方向の高さより高く形成されていることにより、装着者が座位の状態にて、中央吸収部22が装着者の股間部に密着するので、排泄液を確実に吸収して漏出を防止できるとともに、背側吸収部23が中央吸収部22より低いので、背側吸収部23が装着者に接触することによる装着感の悪化を防止できる。
【００４９】
また、吸収体６における吸収性繊維の密度を背側吸収部23＞中央吸収部22＞腹側吸収部21とすることにより、腹側吸収部21および中央吸収部22に排泄された排泄液を確実に吸収できるとともに、このように腹側吸収部21および中央吸収部22にて吸収された排泄液を毛細管現象により背側吸収部23へ移動させることができるので、排泄液を確実に吸収でき、吸収した排泄液をより確実に吸収体６中に保持して排泄液の漏出を防止できる。
【００５０】
吸収本体２において腹側吸収部21に対応する部分に、吸収体６の両側部に折返部24が形成されたことにより、腹側吸収部21における吸収体６から幅方向両側への排泄液のしみ出しを防止できる。
【００５１】
また、吸収本体２において中央吸収部22および背側吸収部23に対応する部分に、吸収体６より外側にフラップ部25が形成され、このフラップ部25の外側縁部にフラップ折返部26が形成されたことにより、中央吸収部22および背側吸収部23における吸収体６から幅方向両側への排泄液のしみ出しを防止できる。
【００５２】
なお、上記第１の関連技術では、想定される用途を考慮して使い捨て吸収性物品１をいわゆるパンツタイプとしたが、この使い捨て吸収性物品１の構成は、いわゆるテープ止めタイプのものにも適用できる。
【００５３】
吸収体６の幅方向の長さを腹側吸収部21＞中央吸収部22＞背側吸収部23としたが、このような構成には限定されず、背側吸収部23の幅方向の長さが大人である装着者の坐骨間隔より狭く形成されていれば、腹側吸収部21および中央吸収部22の幅方向の長さは適宜設定できる。
【００５４】
また、吸収体６の幅方向の長さを腹側吸収部21＞中央吸収部22＞背側吸収部23とする場合には、中央吸収部22の幅方向の長さを腹側吸収部21側から背側吸収部22側へ向かって順次狭く形成された構成には限定されない。
【００５５】
さらに、吸収体６の幅方向の長さを腹側吸収部21＞中央吸収部22＞背側吸収部23とした場合には、吸収体６の幅方向の長さに併せるように、裏面シート５の幅方向の長さを設定してもよい。すなわち、裏面シート５において、吸収体６の背側吸収部23に対応する箇所の幅方向の長さを、吸収体６の腹側吸収部21に対応する箇所の幅方向の長さより狭く形成してもよい。このように、裏面シート５において、吸収体６の背側吸収部23に対応する箇所の幅方向の長さを狭く形成することにより、不透液性の裏面シート５にて覆われる面積を小さく抑えることができるので、装着状態にて蒸れにくくできる。
【００５６】
吸収体における吸収性繊維の密度を背側吸収部23＞中央吸収部22＞腹側吸収部21としたが、このような構成には限定されず、吸収体における吸収性繊維の密度は適宜設定できる。
【００５７】
また、吸収体における吸収性繊維の密度を背側吸収部23＞中央吸収部22＞腹側吸収部21とする場合は、例えば、吸収体６における腹側吸収部21と中央吸収部22と背側吸収部23との長手方向の長さ、断面方向の高さおよび吸収性繊維の重量をそれぞれ同一となるように設定すると、吸収体６の幅方向の長さが腹側吸収部21から背側吸収部23へ向かって狭く形成されることにより、幅方向の長さに反比例して、吸収体６における吸収性繊維の密度が腹側吸収部21から背側吸収部23へ向かって順次高くなるように容易に形成できる。
【００５８】
さらに、吸収体６は、吸収性繊維の密度と同様に、高分子吸収材の密度が背側吸収部23＞中央吸収部22＞腹側吸収部21となるように形成してもよい。
【００５９】
吸収本体２の腹側吸収部21に対応する部分において、吸収体６の両側部に表面シート４を内側にして折り返された裏面シート５にて折返部24が形成された構成としたが、このような構成には限定されず、折返部24を設けない構成にしてもよい。また、折返部24を設ける場合は、折返部24の内側縁部が表面シート４上に接合されていなくても、例えば折返部24の基端部近傍のみにて裏面シート５を表面シート４上に接合して、折返状態を維持できればよく、このように、折返部24の折返状態を維持できる範囲で接合部分を最小限に抑えることにより、風合いが向上し、装着感を向上できる。
【００６０】
吸収本体２の中央吸収部22および背側吸収部23に対応する部分において、吸収体６の幅方向両側部より外側には、表面シート４および裏面シート５にてフラップ部25が形成された構成としたが、このような構成には限定されず、フラップ部25を設けない構成にしてもよい。また、フラップ部25を設ける場合は、裏面シート５のみでフラップ部25を形成してもよい。さらに、フラップ折返部26は、折返部24と同様に、フラップ折返部26の折返状態を維持できる範囲で接合部分を最小限に抑えることにより、風合いを向上でき、装着感の悪化を防止できる。
【００６１】
吸収体６は、中央吸収部22の断面方向の高さが、腹側吸収部21および背側吸収部23の断面方向の高さより高く形成された構成としたが、このような構成には限定されず、各断面方向の高さは適宜設定できる。また、中央吸収部22の断面方向の高さを、腹側吸収部21および背側吸収部23の断面方向の高さより高く形成する場合は、断面方向の高さが中央吸収部22＞背側吸収部23＞腹側吸収部21となるように形成された構成には限定されず、例えば、断面方向の高さが、中央吸収部22＞背側吸収部23＝腹側吸収部21となるように形成された構成等にしてもよい。
【００６２】
吸収体６の中央吸収部22は、断面が表面側へ向かって凸状に形成された構成には限定されず、形状は適宜設計できる。また、中央吸収部22の断面を表面側へ凸状に形成する場合は、中央吸収部22と同様に、背側吸収部23の断面を表面側へ凸状に形成してもよい。一方、腹側吸収部21は、男性が使用する場合の密着性や漏出防止性を考慮すると、断面を凸状に形成しないほうがよく、図２に示したように平面状に形成すると好ましい。
【００６３】
また、図７に示す第２の関連技術のように、吸収体６の腹側吸収部21において、表面側に凹部28を形成し、断面が裏面側へ凹状となるように形成した構成にしてもよい。
【００６４】
このように腹側吸収部21の断面を凹状に形成することにより、腹側吸収部21にスペースを確保でき、男性が使用する場合であっても、装着者の排泄部に腹側吸収部21が密着できるので、排泄液を十分に吸収でき、漏出を防止できる。
【００６５】
また、このように腹側吸収部21を断面が凹状になるように形成する場合は、凹部28の大きさは適宜設計できるが、凹部28の幅方向の長さを背側吸収部23の幅方向の長さより長くして、凹部28をできるだけ広幅に形成すると好ましい。
【００６６】
次に、本発明の第１の実施の形態を図８を参照して説明する。なお、上記各関連技術の形態と同様の構成および作用については、同一符号を付してその説明を省略する。
【００６７】
図８に示すように、吸収本体２は、フラップ部25の外側縁部に位置するフラップ外側接合部31と、このフラップ外側接合部31より幅方向の内側に位置するフラップ内側接合部32と、これらフラップ外側接合部31とフラップ内側接合部32との間に位置するフラップ中央部33とが設けられている。
【００６８】
フラップ外側接合部31は、吸収本体２の外側縁部、すなわち、フラップ部25の外側縁部の折返部24およびその近傍に設けられ、表面シート４と裏面シート５とが接合されて形成される。
【００６９】
フラップ内側接合部32は、吸収体６の背側吸収部23の幅方向の両側縁、すなわち、吸収体６に沿って折り曲げられて配設される表面シート４と裏面シート５とが接触する箇所から幅方向外側へ、表面シート４の一部と裏面シート５の一部とが接合されて形成される。
【００７０】
フラップ中央部33は、フラップ外側接合部31とフラップ内側接合部32との間の、表面シート４と裏面シート５とが接合されていない部分である。
【００７１】
そして、上述のようにフラップ部25は、フラップ外側接合部31およびフラップ内側接合部32にて接合されているので、吸収体６にて吸収した排泄液の漏出や使い捨て吸収性物品１における吸収体６の位置ずれを防止できる。
【００７２】
フラップ外側接合部31およびフラップ内側接合部32の接合方法としては、例えばホットメルト接着剤などの接着剤にて接合され、このように接着剤にて接合することにより、粘着性が良好であり接合状態を保持できるとともに、接合作業が容易であり、容易に製造できる。
【００７３】
ここで、使い捨て吸収性物品１を装着した状態で大人である装着者が座位になると、装着者の坐骨がフラップ中央部33上に位置するので、フラップ中央部33には、他の部分に比べて装着者の体重によって大きな圧力が加わる。
【００７４】
このように座位の際に大きな圧力が加わるフラップ中央部33をフラップ外側接合部31およびフラップ内側接合部32と同様に接着剤にて接合すると、座位の際の圧力により、接着剤が表面側にしみ出してしまうおそれがあり、さらに、しみ出した接着剤にて表面シート４が装着者の臀部に貼り付いてしまうおそれがある。
【００７５】
そこで、上述のようにフラップ中央部33が設けられることにより、座位の際に、坐骨による圧力が加えられても、フラップ中央部33では、表面シート４と裏面シート５とが接着剤にて接合されていないので、接着剤がしみ出してしまうことがない。したがって、しみ出した接着剤により表面シート４が装着者の臀部に貼り付くことがなく、表面シート４が貼り付くことによる装着感の悪化を防止できる。
【００７６】
吸収本体２におけるフラップ内側接合部32の幅方向の内面側には、フラップ内側接合部32から延出するように、吸収体６に沿って折り曲げられた表面シート４の一部と吸収体６の側面の一部とが接合された吸収体表面側接合部34が設けられている。
【００７７】
また、吸収本体２におけるフラップ内側接合部32の幅方向の内側には、フラップ内側接合部32から延出するように、裏面シート５の一部と吸収体６における裏面シート５側の面の一部とが接合された吸収体裏面側接合部35が設けられている。
【００７８】
このように、吸収体表面側接合部34および吸収体裏面側接合部35が形成されることにより、吸収体６からフラップ部25への排泄液の漏出や、使い捨て吸収性物品１における吸収体６の位置ずれをより確実に防止できる。
【００７９】
なお、フラップ外側接合部31およびフラップ内側接合部32の接合方法は、接着剤による接合に限定されず、例えば、ヒートシールや超音波等にて適宜接合できる。
【００８０】
また、フラップ外側接合部31およびフラップ内側接合部32を接着剤にて接合する場合、裏面シート５がポリエチレンなどのフィルムにて形成された構成にすると、フラップ折返部26の裏面シート５によって表面側への接着剤のしみ出しをより確実に防止できるので、フラップ外側接合部31は、フラップ折返部26の内側縁より内側へ延出しないように形成することが好ましい。
【００８１】
さらに、フラップ中央部33は、表面シート４と裏面シート５とが少なくとも接着剤にて接合されていなければ、表面シート４と裏面シート５とが接合されていない構成には限定されず、例えば、ヒートシールや超音波等の接着剤以外の方法であれば適宜接合してもよい。
【００８２】
また、フラップ内側接合部32により、吸収体６からフラップ部25への排泄液の漏出や吸収体６の位置ずれを防止できるので、吸収体表面側接合部34および吸収体裏面側接合部35を形成する構成には限定されない。
【００８３】
次に、第２の実施の形態を図９を参照して説明する。なお、上記各関連技術および実施の形態と同様の構成および作用については、同一符号を付してその説明を省略する。
【００８４】
図９に示すように、表面シート４の表面側には、吸収本体２の一部を覆うように、吸収本体２の幅方向の両側部、および、長手方向の両端部に疎水性シート41が配設されている。
【００８５】
この疎水性シート41は、略矩形状のシート材の中央部に楕円形状の開口部42を設けて形成されている。
【００８６】
また、疎水性シート41は、吸収本体２の幅方向の両側縁部上、および、長手方向の両端縁部上に設けられたシート接合部43にて接合されている。
【００８７】
このように、疎水性シート41が設けられたことにより、この疎水性シート41によって吸収本体２からの排泄液の漏出を防止できるので、排泄液の漏出による装着感の悪化を防止できる。
【００８８】
また、吸収本体２の幅方向の両側部および長手方向の両端部に疎水性シート41が設けられることにより、吸収本体２からの、長手方向への排泄液の漏出も幅方向への排泄液の漏出も防止できるので、排泄液の漏出をより確実に防止できる。
【００８９】
さらに、疎水性シート41が、吸収本体２の幅方向の両側縁部、および、吸収本体２の長手方向の両端縁部にて接合されることにより、吸収本体２にフラップ部25が設けられた構成であっても、シート接合部43がフラップ中央部33上に配置されないので、座位においてシート接合部43上に装着者の坐骨が位置せず、坐骨による圧力によって接着剤がしみ出すことを防止でき、装着感の悪化を防止できる。
【００９０】
なお、上述のように、疎水性シート41が吸収本体２の幅方向の両側部および長手方向の両端部の両方に配設された構成には限定されず、疎水性シート41は、吸収本体２の幅方向の両側部および長手方向の両端部の少なくともいずれか一方に配設されていればよい。
【００９１】
また、疎水性シート41が一枚のシート材にて形成された構成には限定されず、吸収本体２の幅方向の両側部と、長手方向の両端部とにそれぞれ別体の疎水性シート41を配設する構成にしてもよい。
【００９２】
さらに、疎水性シート41は、開口部42が楕円形状に形成された構成には限定されず、開口部42は、例えば矩形状等にて適宜形成できる。
【００９３】
また、疎水性シート41を、例えば、複数のシート材にて形成する構成や、シート材を折り返して形成する構成等のように、積層シートにて形成した場合、シートの積層状態を保持するため接着剤などにて接合すると、接着剤がしみ出してしまうおそれがあるとともに、シートを積層させることによる厚みや硬さによって、装着感が悪化するおそれがある。したがって、疎水性シート41は、単層シートであることが好ましい。
【００９４】
ここで、一般的に、吸収本体２からの排泄液の漏出を防止するために設けられる立体ギャザーには、自由端部側に、立体ギャザーを起立させるための弾性体が配設されている。しかしながら、弾性体の収縮による立体ギャザーの皺や起立した立体ギャザーが肌に触れることなどによって、装着感が悪化する可能性が考えられる。したがって、このような装着感の悪化を防止するため、疎水性シート41は、通常の立体ギャザーのような弾性体を設けない構成が好ましい。
【符号の説明】
【００９５】
１    大人用使い捨て吸収性物品としての使い捨て吸収性物品
２    吸収本体
３    外層シート
４    表面シート
５    裏面シート
６    吸収体
11    腹側部
12    中央部
13    背側部
21    腹側吸収部
22    中央吸収部
23    背側吸収部
25    フラップ部
31    フラップ外側接合部
32    フラップ内側接合部
33    フラップ中央部
41    疎水性シート
【図１】
0005394848.tif 000002
【図２】
0005394848.tif 000003
【図３】
0005394848.tif 000004
【図４】
0005394848.tif 000005
【図５】
0005394848.tif 000006
【図６】
0005394848.tif 000007
【図７】
0005394848.tif 000008
【図８】
0005394848.tif 000009
【図９】
0005394848.tif 000010